(57)【特許請求の範囲】
【請求項１】
四周が側板で囲まれた下敷きフィルムの内側に、方形の平面形状を有する防水パンを配置し、下敷きフィルムの前側板と防水パンの前側板との間の空間部に縦排水管に通じる横排水管を配管すると共に、この横排水管から側方に突き出した排水口を防水パンの前側板を貫通させて防水パンの内側の排水溝に臨ませて、
横排水管の端部にエルボ継手を接続すると共に、該エルボ継手の下部挿口を、下敷きフィルムの排水口に挿入された異径継手の小径上部受口に差込み接続し、該異径継手の下部挿口を縦排水管に差込み接続した防水構造体であって、
上記異径継手の小径上部受口に、防水パンから下敷きフィルムに流落した水を排水する割溝部が形成されていることを特徴とする防水構造体。
【請求項２】
下敷きフィルムが、前側板と後側板を備えた下敷きフィルム本体と、下敷きフィルム本体の左右の側端に配置される側端部材と、下敷きフィルム本体の四隅に配置されるコーナー部材とからなり、下敷きフィルム本体に排水口を設けたことを特徴とする請求項１に記載の防水構造体。
【請求項３】
下敷きフィルムが、前側板と後側板を備えた下敷きフィルム本体と、底板とその三辺に立設された側板を備え下敷きフィルム本体の左右の側縁に配置される側縁部材とからなり、下敷きフィルム本体に排水口を設けたことを特徴とする請求項１に記載の防水構造体。
【請求項４】
防水パンの前縁を一部切欠き、この切欠き部分に点検用パネルを水密的に脱着可能に取り付けると共に、横排水管から側方に突き出した排水口をこの点検用パネルを貫通させて防水パンの内側の排水溝に臨ませたことを特徴とする請求項１ないし請求項３のいずれかに記載の防水構造体。
【請求項５】
防水パンの内側の排水溝に臨ませた排水口にゴミ除けカバーを取り付けたことを特徴とする請求項１ないし請求項４のいずれかに記載の防水構造体。
【請求項６】
防水パンが複数の分割パンを接合したものであって、分割パン相互の接合部分は、一方の分割パンの支持端縁に防水パッキンを介して他方の分割パンの押え端縁を重ねて止具で固定してあり、且つ、支持端縁には水抜き溝を形成してその端部の溝底に水抜き孔を形成してあることを特徴とする請求項１ないし請求項５のいずれかに記載の防水構造体。
【発明の詳細な説明】
【技術分野】
【０００１】
本発明は、バルコニー等に施工される防水パンを用いた防水構造体に関するものである。
【背景技術】
【０００２】
従来より、バルコニー等の床は、合成樹脂製の防水パンを敷設することによって防水されている。合成樹脂製の防水パンとしては、例えば、四周に側板を備えた方形の平面形状を有する防水パンであって、その前縁沿いに排水溝を凹設し、該排水溝の一端部の溝底に排水口を形成したものが知られている（特許文献１、第１１図参照）。かかる防水パンは、バルコニー等の床に敷設されて排水口に堅樋等が接続され、防水パン内の雨水等が排水溝の傾斜した底面を流れて排水口から堅樋等へ排水されるようになっている。
【０００３】
しかしながら、上記の防水パンは、その左右寸法が大きくなって排水溝が長くなるほど、排水溝の底面の傾斜角（流れ勾配）が小さくなるため、雨水等の流れが悪くなって排水性が低下するという不都合があった。
【０００４】
そこで、本出願人は、防水パンの四周縁に沿って下側に排水予備樋を配設し、防水パンの前縁沿いに配設した排水予備樋の前側板と防水パンの前側板との間の空間部に縦排水管に通じる横排水管を配管すると共に、この横排水管から側方に突き出した排水口を防水パンの前側板を貫通させて防水パンの内側の排水溝に望ませた防水構造体を提案した（特願２００５−５９７８）。この防水構造体は、横排水管の接続部分や防水パンの四周から漏水しても排水予備樋で受け止められるため優れた防水性を有し、防水パンの排水溝の下側に横排水管の配管スペースを確保することが不要なため施工性が良く、雨水等が防水パンの前側板を貫通して内側の排水溝に望む排水口から横排水管に効率良く流れる排水性が良好なものであった。尚、この防水構造体は、未だ公開されていない。
【０００５】
この防水構造体は上記のように優れた防水性を有するものであるが、なんらかの原因で防水パンとバルコニーの床面との間に水が侵入したり、或いは、冬場の寒い時期に防水パンの裏面に空気中の水蒸気が凝結して水滴が生じ、その水滴が落下してバルコニーの床面に水が溜まることがあるため、バルコニーの床面が木製である場合は木が腐る恐れがあり、また、階下のバルコニーへの雨漏りが生じる恐れもあった。
【特許文献１】特開２０００−８７４４４号公報
【発明の開示】
【発明が解決しようとする課題】
【０００６】
本発明は上記の事情に鑑みてなされたもので、排水性が良く、優れた防水性を有し、万一、防水パンの裏側に水が侵入したり、結露して防水パンの裏面に水滴が生じたとしてもバルコニーの床面が水で濡れたり床面に水が溜まったりする心配がなく、メンテナンスも容易に行える、防水構造体を提供することを解決すべき課題としている。
【課題を解決するための手段】
【０００７】
上記の課題を解決するため、本発明の防水構造体は、四周が側板で囲まれた下敷きフィルムの内側に、方形の平面形状を有する防水パンを配置し、下敷きフィルムの前側板と防水パンの前側板との間の空間部に縦排水管に通じる横排水管を配管すると共に、この横排水管から側方に突き出した排水口を防水パンの前側板を貫通させて防水パンの内側の排水溝に臨ませて、横排水管の端部にエルボ継手を接続すると共に、該エルボ継手の下部挿口を、下敷きフィルムの排水口に挿入された異径継手の小径上部受口に差込み接続し、該異径継手の下部挿口を縦排水管に差込み接続した防水構造体であって、上記異径継手の小径上部受口に、防水パンから下敷きフィルムに流落した水を排水する割溝部が形成されていることを特徴とするものである。
【０００８】
本発明の防水構造体においては、下敷きフィルムが、前側板と後側板を備えた下敷きフィルム本体と、下敷きフィルム本体の左右の側端に配置される側端部材と、下敷きフィルム本体の四隅に配置されるコーナー部材とからなり、下敷きフィルム本体に排水口を設けることが好ましい。また、下敷きフィルムが、前側板と後側板を備えた下敷きフィルム本体と、底板とその三辺に立設された側板を備え下敷きフィルム本体の左右の側縁に配置される側縁部材とからなり、下敷きフィルム本体に排水口を設けた防水構造体も好ましい。そして、防水パンの前縁を一部切欠き、この切欠き部分に点検用パネルを水密的に脱着可能に取り付けると共に、横排水管から側方に突き出した排水口をこの点検用パネルを貫通させて防水パンの内側の排水溝に臨ませたことが好ましく、防水パンの内側の排水溝に臨ませた排水口にゴミ除けカバーを取り付けたことがより好ましい。また、防水パンが複数の分割パンを接合したものである場合、分割パン相互の接合部分は、一方の分割パンの支持端縁に防水パッキンを介して他方の分割パンの押え端縁を重ねて止具で固定してあり、且つ、支持端縁には水抜き溝を形成してその端部の溝底に水抜き孔を形成してあることが好ましい。
【発明の効果】
【０００９】
本発明の防水構造体は、四周が側板で囲まれた下敷きフィルムの内側に、方形の平面形状を有する防水パンを配置してあるので、万一、防水パンと下敷きフィルムとの間に水が侵入したり、防水パンの裏面の結露した水滴が落下しても、バルコニーの床面が水で濡れたり床面に水が溜まったりする心配がなく、また、階下のバルコニーへの雨漏りが生じる心配もなくなる。また、下敷きフィルムの前側板と防水パンの前側板との間の空間部に縦排水管に通じる横排水管を配管すると共に、この横排水管から側方に突き出した排水口を防水パンの前側板を貫通させて防水パンの内側の排水溝に臨ませてあるので、防水パンの排水溝の下側に横排水管の配管スペースを確保することが不要になって施工性が向上すると共に、防水パンの前側板を貫通して内側の排水溝に臨む排水口から雨水等が横排水管を通じて効率良く排水される。
【００１０】
下敷きフィルムが、前側板と後側板を備えた下敷きフィルム本体と、下敷きフィルム本体の左右の側端に配置される側端部材と、下敷きフィルム本体の四隅に配置されるコーナー部材とからなり、下敷きフィルム本体に排水口を設けた防水構造体は、防水パンと下敷きフィルムとの間に水が侵入したり、防水パンの裏面の結露した水滴が落下してきても、下敷きフィルム本体に設けられた排水口からバルコニー等の外に排水されるので、バルコニー等の床面を濡らしてしまう心配がない。また、下敷きフィルムを別体としたことで、成形が容易となりコストを抑えることができるし、種々の寸法のバルコニーに対応することができる。
【００１１】
一方、下敷きフィルムが、前側板と後側板を備えた下敷きフィルム本体と、底板とその三辺に立設された側板を備え下敷きフィルム本体の左右の側縁に配置される側縁部材とからなり、下敷きフィルム本体に排水口を設けた防水構造体は、下敷きフィルム本体の左右の側縁が、底板とその三辺に立設された側板を備えた側縁部材で完全に囲まれるので、なんらかの原因で防水パンと下敷きフィルムの間に相当量の水が侵入してきたとしても、下敷きフィルム本体と側縁部材の接合箇所からの漏水は皆無に等しくなり、水密性が更に向上する。
【００１２】
また、防水パンの前縁を一部切欠いて点検用パネルを水密的に脱着可能に取り付け、横排水管から側方に突き出した排水口をこの点検用パネルを貫通させて防水パン内側の排水溝に臨ませた防水構造体は、点検用パネルを取り外して防水パンの裏側や横排水管の点検、修理などを行えるのでメンテナンスが容易である。
【００１３】
更に、防水パンの内側の排水溝に臨ませた排水口にゴミ除けカバーを取り付けた防水構造体は、ゴミ除けカバーによって排水口から横排水管へのゴミの侵入を阻止できるため、横排水管や縦排水管のゴミ詰まりをなくすことができる。
【００１４】
また、防水パンが複数の分割パンを接合したものであって、分割パン相互の接合部分は、一方の分割パンの支持端縁に防水パッキンを介して他方の分割パンの押え端縁を重ねて止具で固定してあり、且つ、支持端縁には水抜き溝を形成してその端部の溝底に水抜き孔を形成してある防水構造体は、経時的に防水パッキンが劣化して雨水等が支持端縁と押え端縁との隙間から侵入してきたとしても、侵入してきた雨水等は水抜き溝に流れ込んで端部の水抜き孔から排水予備樋に受け止められるため、漏水する心配はない。
【発明を実施するための最良の形態】
【００１５】
以下、図面を参照して本発明の具体的な実施形態を詳述する。
【００１６】
図１は本発明の一実施形態に係る防水構造体の斜視図、図２は同防水構造体の平面図、図３は図２のＡ−Ｂ線に沿った拡大断面図、図４は図２のＡ−Ｃ線に沿った拡大部分断面図、図５は図２のＤ−Ｄ線に沿った拡大部分断面図、図６は図２のＥ−Ｅ線に沿った拡大部分断面図、図７は防水パンの前縁の切欠き部分に点検用パネルを取り付ける前の状態を示す部分斜視図、図８は防水パンの前縁の切欠き部分に点検用パネルを取り付けた後の状態を示す部分斜視図、図９は排水口にゴミ除けカバーを取り付けたところを示す部分斜視図、図１０は同防水構造体における横排水管の接続部分を示す断面図、図１１から図１３は同防水構造体の施工手順を説明する斜視図である。
【００１７】
この防水構造体は、図１に分解して示すように、互いに接合される左右の分割パン１１，１２からなる長方形の平面形状を備えた二分割タイプの防水パン１と、この防水パン１が配置される下敷きフィルム本体２１，側端部材２２，コーナー部材２３からなる下敷きフィルム２と、防水パン１内の水を排水する横排水管３及び縦排水管４と、その他の各種部材によって構成されている。
【００１８】
防水パン１は、ポリエステル樹脂にガラス繊維を配合したＳＭＣ（シートモールディングコンパウンド）などの材料で成形された左右の分割パン１１，１２からなるものであって、図１に示すように、左側の分割パン１１の右端に形成された支持端縁１ｅに、右側の分割パン１２の左端に形成された押え端縁１ｆを重ねることで水密的に接合されている。左側の分割パン１１の前端と左端と後端には、前側板１ａと左側板１ｂと後側板１ｃが形成されており、右側の分割パン１２の前端と右端と後端にも、前側板１ａと右側板１ｄと後側板１ｃが形成されている。この前側板１ａ、左側板１ｂ、後側板１ｃ、右側板１ｄは、いずれも上下中間部分に水平段部を有する屈曲板に形成されており、前側板１ａは、水平段部の幅が他の側板１ｂ，１ｃ，１ｄのそれよりも広くなっている。このように前側板１ａの水平段部の幅を広くすることで、図５に示すように、前側板１ａの水平段部より下側部分と下敷きフィルム２１の前側板２ａとの間に空間部５が形成され、その空間部５に横排水管３を配管することができるようになっている。
【００１９】
図１に示すように、左右の分割パン１１，１２はいずれも、その前側板１ａに沿って排水溝１ｎが形成されており、この排水溝１ｎの溝底には、中央部が最も深くなるように両端から中央部に向って流れ勾配が付けられている。そして、分割パン１１，１２の裏面には、図３に示すように、補強リブの役目を兼ねた高さが少しずつ異なる複数の脚片１ｐが間隔をあけて形成されており、この分割パン１１，１２を接合した防水パン１（分割パン１１，１２）の表面が少し前下りに傾斜するようになっている。従って、防水パン１（分割パン１１，１２）の表面の水は防水パン１の前端に向って流れ、排水溝１ｎ，１ｎに流れ落ちて排水溝１ｎ，１ｎの中央部に集められるようになっている。
【００２０】
図１、図７に示すように、分割パン１１，１２の前側板１ａと排水溝１ｎの中央部には切欠いた開口部１ｑが形成され、この開口部１ｑに対応する形状の点検用パネル１ｒ（前側板部と排水溝部を備えた形状の点検用パネル）が水密的に脱着可能に取り付けられるようになっている。具体的には、図４に示すように、点検用パネル１ｒの重ね端部１ｓと分割パン１１，１２（防水パン１）の切欠き端部１ｔの埋め込みナット１ｊにねじ込むことによって、点検用パネル１ｒが分割パン１１，１２の開口部１ｑに水密的かつ脱着可能に取り付けられている。
【００２１】
上述した左右の分割パン１１，１２は、図６に示すように、左側の分割パン１１の支持端縁１ｅと、その上に重ねた右側の分割パン１２の押え端縁１ｆとの間に、第一の防水パッキン１ｇと第二の防水パッキン１ｈがそれぞれ挟着され、押え端縁１ｆとの間に、押え端縁１ｆの上からボルト１ｉが支持端縁１ｅの埋め込みナット１ｊにねじ込まれることで、水密的に接合されている。そして、支持端縁１ｅの先端部分には、支持端縁１ｅの全長に亘って水抜き溝１ｋが形成され、この水抜き溝１ｋの端部（分割パン１１の前端側の端部）の溝底に水抜き孔１ｍが穿孔されている。
【００２２】
このように左右の分割パン１１，１２が接合されると、支持端縁１ｅと押え端縁１ｆとの隙間からの水漏れが、第一及び第二の防水パッキン１ｇ，１ｈによって二重に阻止されるため、優れた防漏性が発揮されるし、経時的に防水パッキン１ｇ，１ｈが劣化して水が支持端縁１ｅと押え端縁１ｆとの隙間から侵入してきたとしても、侵入してきた水は水抜き溝１ｋを通って端部の水抜き孔１ｍから下敷きフィルム２（２１）に落下して受け止められるため、漏水する心配はなく、優れた防漏性が維持される。
【００２３】
本実施例では二分割タイプの防水パン１（分割パン１１，１２）を用いているが、施工場所の広さ等に応じて、三分割タイプ以上の防水パンや、非分割タイプの防水パンを使い分けるのが好ましい。尚、三分割タイプの防水パンを用いるときは、右端に支持端縁１ｅが形成され、左端に押え端縁１ｆが形成された分割パンを、上述した分割パン１１，１２の真ん中に位置させて水密的に接合することになる。
【００２４】
一方、下敷きフィルム２は、プラスチックの薄板を曲げ加工して形成された下敷きフィルム本体２１と、側端部材２２と、コーナー部材２３からなるものであって、図４、図５に示すように、上記防水パン１（分割パン１１，１２）、横排水管３、後述するチーズ継手３ａなどを下方から受けるようになっている。
尚、下敷きフィルム２の材質は、プラスチックに限定されるものではないが、結露しない必要があるので、例えば、アルミニウム等は不向きである。
【００２５】
下敷きフィルム本体２１は、図１に示すように、前側板２１ａと底板２１ｃと後側板２１ｂからなる断面形状が凹型のプラスチック板で、その底板２１ｃの前側板２１ａ側の右端には横排水管３が差込み接続される排水口２１ｄが形成されている。後述するように、この排水口２１ｄは、横排水管３と縦排水管４の接続箇所となるほか、下敷きフィルム本体２１に侵入してきた水を屋外に排出する役割も果たす。
尚、本実施例のように、２分割タイプの防水パンをバルコニーに施工する場合は、下敷きフィルム本体２１に設ける排水口２１ｄは１つで十分であるが、三分割タイプの防水パンを施工する場合には、下敷きフィルム本体２１の底板２１ｃの右端と左端の２箇所に排水口２１ｄを設けることがより好ましい。
【００２６】
また、側端部材２２は、図１に示すように、底板２２ｂから側板２２ａが９０°立ち上がったＬ字形のプラスチック板で、上記下敷きフィルム本体２１の右端及び左端の２箇所に配置される。バランス、水密性等を考慮して、底板２２ｂの長さと側板２２ａの高さが略等しくなるように形成されている。
【００２７】
また、コーナー部材２３は、図１に示すように、直角二等辺三角形の底板２３ｂの外側二辺からＬ字形の側板２３ａが９０°立ち上がったもので、上記下敷きフィルム本体２１の四隅（即ち、バルコニーの四隅）に配置される。
尚、本実施例では、コーナー部材２３の底板２３ｂの形状が直角二等辺三角形に形成されているが、正方形若しくは長方形となるように形成しても構わない。
【００２８】
上記の下敷きフィルム本体２１、側端部材２２，２２、コーナー部材２３，２３，２３，２３からなる下敷きフィルム２は、次の要領で接合される。即ち、コーナー部材２３，２３，２３，２３をバルコニーの四隅に配置する。そして、右側のコーナー部材２３，２３の底板２３ｂ，２３ｂの上方から側端部材２２の底板２２ｂを載置する。このとき、各接合箇所（コーナー部材２３の底板２３ｂ、側板２３ａの内側と側端部材２２の底板２２ｂ、側板２２ａの内側）をブチルゴムテープで防水処理する。同様にして、左端のコーナー部材２３，２３にも側端部材２２を載置する。次いで、側端部材２２，２２の底板２２ｂ，２２ｂの上方から下敷きフィルム本体２１の底板２１ｃを載置し、各接合箇所（側端部材２２の内側と下敷きフィルム本体２１の底板２１ｃの裏側、及び、下敷きフィルム本体２１の前側板２１ａ、後側板２１ｂとコーナー部材２３の内側）にブチルゴムテープで防水処理する。このように各部材を接合すると、施工性及び防水性に優れる、四周が側板（２１ａ，２２ａ，２１ｂ，２２ａ）で囲まれた下敷きフィルム２が形成される。
【００２９】
また、下敷きフィルム２とバルコニー壁面との隙間は、図３〜図５に示すように、下敷きフィルム本体２１の前側板２１ａをバルコニーの壁面に当接させて防湿紙６ａを貼り付けると共に、更に、防湿紙６ａの下端部にブチルゴムテープ６ｂを重ねて貼り付けることによって、隙間から漏水しないように防水施工されており、同様に、下敷きフィルム本体２１の後側板２１ｂ，側端部材２２，２２も防水施工されている。また、防水パン１の四周の側板１ａ，１ｂ，１ｃ，１ｄもブチルゴムテープ６ｂで防水処理され、防水パン１の四周の防水性が二重に確保されている。このようにブチルゴムテープ６ｂで二重に防水処理を行うと、風による雨水等の侵入を十分に防止できるが、ブチルゴムテープ６ｂの経時的な劣化により雨水等が侵入したとしても、侵入した水は下敷きフィルム２で受け止められて、後述するように縦排水管４へ排水されるため、漏水の心配はない。
【００３０】
また、横排水管３には、図１に示すように、三方に接続口を有するチーズ継手３ａと伸縮継手３ｂが接続されており、図５に示すように、この横排水管３は下敷きフィルム本体２１の前側板２１ａと防水パン１の前側板１ａとの間の空間部５に配管されている。そして、図４、図８に示すように、これらのチーズ継手３ａの余った側方の接続口３ｃは、横排水管から側方に突き出す排水口として、前記点検用パネル１ｒの開口１ｕを貫通して防水パン１（左右の分割パン１１，１２）の内側の排水溝１ｎにそれぞれ突き出しており、また、横排水管３の始端に接続されるチーズ継手３ａの不要な上流側の接続口は栓等で閉塞されている。これらのチーズ継手３ａには、図４に示すように、一対の脚片３ｄが形成されているが、この脚片３ｄは省略してもよい。尚、横排水管３の始端の継手として、直角エルボ継手や、上記チーズ継手３ａの不要な上流側の接続口を省略した継手などを使用してもよい。
【００３１】
上記の伸縮継手３ｂは蛇腹管の両端に接続口を形成したものであって、このような伸縮継手３ｂを介して横排水管３を接続すると、気温差による熱伸縮が吸収されるため、接続部分が外れて漏水する心配がなく、しかも、横排水管３の勾配調整も伸縮継手３ｂによって自由に行える利点がある。
【００３２】
図８に示すように、点検用パネル１ｒの開口１ｕから防水パッキン１の排水溝１ｎに突き出したチーズ継手３ａの接続口３ｃ（排水口）の外周面には雄ネジが形成されており、図４、図８に示すように、この雄ネジの形成された接続口３ｃに排水栓３ｅが螺合されてチーズ継手３ａが固定されている。そして、この排水栓３ｅが螺合された接続口３ｃ（排水口）の外側に、ゴミ除けカバー３ｆが嵌着されている。このようにゴミ除けカバー３ｆが嵌着されていると、接続口（排水口）から横排水管３への大きいゴミの侵入が阻止され、大きいゴミを含まない水が排水溝１ｎの最も深い中央部から接続口３ｃに流れ込み、横排水管３及び縦排水管４を通って排水されるので、ゴミ詰まりをなくすことができる。
【００３３】
横排水管３と縦排水管４は、図１０に示すような接続構造で接続されている。即ち、横排水管３の端部にエルボ継手３ｇが接続されており、このエルボ継手３ｇの下部挿口３ｈが、下敷きフィルム本体２１床面の排水口２１ｄに下方から挿入された異径継手３ｉの小径上部受口３ｊに、上方から差込み接続されて接着されている。そして、この異径継手３ｉの小径上部受口３ｊと大径下部挿口３ｋとの間の鍔状段部３ｍが下敷きフィルム本体２１の裏面に接着されると共に、異径継手３ｉの大径下部挿口３ｋが大径の縦排水管４に差込み接続されて接着されており、更に、割溝部３ｎが異径継手３ｉの小径上部受口３ｊに形成されている。従って、横排水管３を流れてきた水は、エルボ継手３ｇと異径継手３ｉを通って縦排水管４に流落して排水され、また、結露等で防水パン１から下敷きフィルム２に流落した水は、図１０に矢印で示すように、異径継手３ｉの小径上部受口３ｊの割溝部３ｎから大径下部挿口３ｋを通って縦排水管４を流落して排水される。
【００３４】
上記構成の防水構造体は、次の要領でバルコニーに施工される。まず、図１１に示すように、バルコニーの床面の四隅に、コーナー部材２３，２３，２３，２３を配置し、既述したように、そのコーナー部材２３，２３，２３，２３の上方から側端部材２２，２２を載置し、その側端部材２２，２２の上に下敷きフィルム本体２１を載置して、既述したように防湿紙６ａとブチルゴムテープ６ｂを貼り付けて防水処理する。
【００３５】
次いで、図１２に示すように、横排水管３とチーズ継手３ａと伸縮継手３ｂを接続して防水パン１の前側板１ａと下敷きフィルム本体２１の前側板２１ａとの間に形成された空間部５に配管し、既述したようにエルボ継手３ｇと異径継手３ｉを介して横排水管３と縦排水管４を接続する。
【００３６】
次いで、図１３に示すように、左右の分割パン１１，１２を既述した構造で接合した防水パン１を下敷きフィルム２に配置し、防水パン１の前側板１ａと下敷きフィルム本体２１の前側板２１ａとの間の空間部５に横排水管３やチーズ継手３ａ等が納まるようにする。そして、既述したように、防水パン１の開口部１ｑに点検用パネル１ｒを水密的に脱着可能に取り付け、チーズ継手３ａの余った接続口３ｃを排水口として点検用パネル１ｒの開口から防水パン１内側の排水溝１ｎに突出させ、排水栓３ｅとゴミ除けカバー３ｆを取り付けると共に、防水パン１の四周の側壁を既述したようにブチルゴムテープ６ｂで防水処理して施工を完了する。このように、チーズ継手３ａの余った接続口３ｃを、横排水管３から側方に突き出した排水口３ｃとして利用すると、チーズ継手３ａを設ける位置を変えることで接続口３ｃの位置を適宜変更できる利点がある。
【００３７】
上記のように、本発明の防水構造体は施工が簡単で、防水パン１の排水溝１ｎの下側に横排水管３の配管スペースを確保する必要がなく、万一、防水パン１の四周から漏水したり、結露して防水パン１の裏面から水滴が流落するようなことがあったとしても、下敷きフィルム２に受け止められ、下敷きフィルム２に受け止められた水は、下敷きフィルム本体２１に設けられた接続口２１ｄを通って縦排水管４に排水されるので、バルコニーの床面を濡らしてしまう心配がなく、優れた防水性を有する。そして、防水パン１の排水溝１ｎに集められた雨水等は、ゴミ除けカバー３ｆでゴミが除去されてチーズ継手３ａの排水口となる接続口３ｃに流れ込み、横排水管３及び縦排水管４を通って速やかに排水されるので、ゴミ詰まりがなく排水性が良好である。しかも、本発明の防水構造体は、点検用パネル１ｒを取り外して防水パン１の裏側や横排水管３の点検、修理などを行えるので、メンテナンスが容易であり、分割タイプの防水パン１の分割パン１１，１２の接合部分の防水パッキンが劣化しても、接合部分から漏水する心配もないなど、多くの顕著な効果を奏する。
【００３８】
図１４は、本発明の他の実施形態に係る防水構造体の構成部材である側縁部材の斜視図である。
【００３９】
図１４に示す防水構造体の構成部材である側縁部材２４は、方形の底板２４ｂと、その底板２４ｂの三辺に立設されたコの字形の側板２４ａからなる部材で、前述した側端部材２２とコーナー部材２３の代わりに用いられるものである。従って、この側縁部材２４は、バルコニーの左右の端部（即ち、下敷きフィルム本体２１の左右の側縁部分）にそれぞれ配置され、既述した要領で、下敷きフィルム本体２１と側縁部材２４の各接合箇所をブチルゴムテープ６ｂで防水処理し、その上方から下敷きフィルム本体２１を載置する要領で施工される。この側縁部材２４の底板２４ｂの長さ方向の寸法は、前述した側端部材２２の底板２２ｂよりも長く形成されているので、下敷きフィルム本体２１の側縁（側端及びコーナー部分）の広い範囲を囲むことができる。
この側縁部材２４を用いた防水構造体の他の構成は、前述した図１〜図１３に示す実施形態の防水構造体と同様であるから、説明を省略する。
【００４０】
このような側縁部材２４を用いた防水構造体は、下敷きフィルム本体２１の左右の側縁の広い範囲が、側縁部材２４の底板２４ｂとその三辺に立設されたコの字形の側板２４ａで広い範囲が囲い込まれるので、万一、防水パン１と下敷きフィルムとの間に相当量の水が侵入してきたとしても、下敷きフィルム本体２１と側縁部材２４の接合箇所から漏水することはなく、バルコニーが濡れてしまう心配は皆無に等しくなる。
【００４１】
図１５は、本発明の更に他の実施形態に係る防水構造体の構成部材であるコーナー部材の斜視図である。
【００４２】
図１５に示すコーナー部材２５は、上記の側縁部材２４が幅方向の中間部分で半分に切断されたもので、下敷きフィルム本体２１の四隅に配置されて使用される。従って、施工手順は前述した実施形態のコーナー部材２３と同様で、このコーナー部材２５，２５，２５，２５をバルコニーの四隅に配置して、その上方から側端部材２２，２２を載置する。基本的にこのコーナー部材２５，２５は、幅方向で互いに当接させて使用するものであるが、上記の側縁部材２４とは異なり２分割タイプなので、防水性をより高めるために側端部材２２をその上方から載置する必要がある。
この部材を用いた防水構造体の他の構成は、前述した図１〜図１３に示す実施形態の防水構造体と同様であるから、説明を省略する。
【００４３】
このようなコーナー部材２５を用いた防水構造体は、高い防水性を維持しつつ、施工性を向上させることができる。即ち、前述した側縁部材２４は、非常に高い防水性を有するものであるが、一体成形品なので、種々のバルコニーに対応するには多くのサイズの側縁部材２４が必要で、また、サイズが微妙にずれているときなどは微調整が困難である。その点、このコーナー部材２５は、多少サイズがずれていても、２分割タイプなので施工現場での対応が可能で、また、下敷きフィルム本体２１を取り囲む範囲も広いので漏水の心配もない。
【００４４】
以上、３種類の防水構造体の実施形態を説明してきたが、どの実施形態の防水構造体も、排水性が良く優れた防水性を有するので、バルコニーの種類や場所等を勘案してそれぞれを使い分けるのが好ましい。
【図面の簡単な説明】
【００４５】
【図１】本発明の一実施形態に係る防水構造体の斜視図である。
【図２】同防水構造体の平面図である。
【図３】図２のＡ−Ｂ線に沿った拡大断面図である。
【図４】図２のＡ−Ｃ線に沿った拡大部分断面図である。
【図５】図２のＤ−Ｄ線に沿った拡大部分断面図である。
【図６】図２のＥ−Ｅ線に沿った拡大部分断面図である。
【図７】防水パンの前縁の切欠き部分に点検用パネルを取り付ける前の状態を示す部分斜視図である。
【図８】防水パンの前縁の切欠き部分に点検用パネルを取り付けた後の状態を示す部分斜視図である。
【図９】排水口にゴミ除けカバーを取り付けたところを示す部分斜視図である。
【図１０】同防水構造体における横排水管の接続部分を示す断面図である。
【図１１】同防水構造体の施工手順を説明する斜視図であって、排水予備樋をコーナー部材で方形枠状に連結して敷設したところを示すものである。
【図１２】同防水構造体の施工手順を説明する斜視図であって、横排水管を配管したところを示すものである。
【図１３】同防水構造体の施工手順を説明する斜視図であって、分割タイプの防水パンを敷設したところを示すものである。
【図１４】本発明の他の実施形態に係る防水構造体の構成部材である側縁部材の斜視図である。
【図１５】本発明の更に他の実施形態に係る防水構造体の構成部材であるコーナー部材の斜視図である。
【符号の説明】
【００４６】
１    防水パン
１１，１２  分割パン
１ａ  防水パンの前側板
１ｅ  一方の分割パンの支持端縁
１ｆ  他方の分割パンの押え端縁
１ｇ  第一の防水パッキン
１ｈ  第二の防水パッキン
１ｉ  止具（ボルト）
１ｋ  水抜き溝
１ｍ  水抜き孔
１ｎ  排水溝
１ｑ  開口部
１ｒ  点検用パネル
１ｕ  点検用パネルの開口
２    下敷きフィルム
２１  下敷きフィルム本体
２１ａ  下敷きフィルム本体の前側板
２１ｂ  下敷きフィルム本体の後側板
２１ｃ  下敷きフィルム本体の底板
２１ｄ  排水口
２２  側端部材
２２ａ  側端部材の側板
２２ｂ  側端部材の底板
２３  コーナー部材
２３ａ  コーナー部材の側板
２３ｂ  コーナー部材の底板
２４  側縁部材
２４ａ  側縁部材の側板
２４ｂ  側縁部材の底板
２５  コーナー部材
３    横排水管
３ａ  チーズ継手
３ｂ  伸縮継手
３ｃ  チーズ継手の余った接続口
４    縦排水管
５    下敷きフィルムの前側板と防水パンの前側板との間の空間部
【図１】
0004753116.tif 000002
【図２】
0004753116.tif 000003
【図３】
0004753116.tif 000004
【図４】
0004753116.tif 000005
【図５】
0004753116.tif 000006
【図６】
0004753116.tif 000007
【図７】
0004753116.tif 000008
【図８】
0004753116.tif 000009
【図９】
0004753116.tif 000010
【図１０】
0004753116.tif 000011
【図１１】
0004753116.tif 000012
【図１２】
0004753116.tif 000013
【図１３】
0004753116.tif 000014
【図１４】
0004753116.tif 000015
【図１５】
0004753116.tif 000016